(57)【要約】【課題】  複数のフレキシブルな記録ディスクメディアを収納した記録ディスクカートリッジを簡易に構成し、記録ディスクメディアの枚数の変更も容易で、さらに、小型化を図る。【解決手段】  記録ディスクメディアの一例である磁気ディスクメディア４１をカートリッジケース２に複数収納する。カートリッジケース２は、磁気ディスクメディア４１に平行な下壁を構成する下プレート１０と、下プレート１０の上に積層され固定されて複数の磁気ディスクメディア４１を仕切るインナシート２０と、インナシート２０の上に積層され固定されてカートリッジケース２の上壁を構成する上プレート３０とを備えて構成する。【選択図】      図２
2006079786.tif 000002
【特許請求の範囲】
【請求項１】
フレキシブルな複数の記録ディスクメディアをカートリッジケース内に一体回転可能に収納した記録ディスクカートリッジであって、
前記カートリッジケースは、前記記録ディスクメディアに平行な下壁を構成する下プレートと、前記下プレートの上に積層され固定されて前記複数の記録ディスクメディアを仕切る少なくとも１枚のインナシートと、前記インナシートの上に積層され固定されて前記カートリッジケースの上壁を構成する上プレートとを備えることを特徴とする記録ディスクカートリッジ。
【請求項２】
前記インナシートは、インナシート間の積層間隔を保持するスペース部材を介して積層されることを特徴とする請求項１に記載の記録ディスクカートリッジ。
【請求項３】
前記カートリッジケースは、前記記録ディスクメディアに対しデータの記録および／または再生を行うヘッドが進入する開口部が形成されているとともに、この開口部を開閉するシャッタをさらに備えることを特徴とする請求項１または請求項２に記載の記録ディスクカートリッジ。
【請求項４】
前記インナシートの前記記録ディスクメディアに対向する面に、除塵用のライナが設けられたことを特徴とする請求項１から請求項３のいずれか１項に記載の記録ディスクカートリッジ。
【請求項５】
前記インナシートは、除塵用のライナからなることを特徴とする請求項１から請求項３のいずれか１項に記載の記録ディスクカートリッジ。
【請求項６】
前記除塵用のライナは、織布と不織布との組み合わせ、または、織布もしくは不織布からなることを特徴とする請求項４または請求項５に記載の記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。
【０００４】
ところで、フレキシブルな磁気ディスクメディアは、メディア自身の剛性が低いため、回転させると記録面に垂直な方向に振れやすいという問題がある。そのため、前記した特許文献１に記載の発明においては、各磁気ディスクメディアをシャッタにより挟んだ構成としている。このように磁気ディスクメディアの近傍に剛性が高いシャッタなどの板部材を配置することにより、磁気ディスクメディアが回転にともない板部材に沿うので、記録面を安定させることができる。
【特許文献１】特開２００４−２２０１１号公報
【発明の開示】
【発明が解決しようとする課題】
【０００５】
しかしながら、前記した特許文献１の磁気ディスクカートリッジは、前記した板部材を１枚の磁気ディスクメディアに対して４枚配置した可動なシャッタ部材から構成しているため、構造が複雑であり、磁気ディスクメディアとの平行が保ちにくいという問題がある。また、磁気ディスクカートリッジは、大量に生産する商品であるため、組立性、生産性に優れることが望ましい。さらに、磁気ディスクメディアの枚数を、３枚、５枚などとした磁気ディスクカートリッジを複数種類設定しやすいように、設計変更の自由度が高いことが望ましい。そして、複数枚の磁気ディスクメディアが収納された磁気ディスクカートリッジにおいては省スペース化されて小型化されていることが望ましい。
このような背景に鑑みて本発明がなされたのであり、本発明は、簡素な構造からなり、組立性、生産性に優れ、記録ディスクメディアの枚数の変更も容易であるとともに、小型化を図ることができる記録ディスクカートリッジを提供することを目的とする。
【課題を解決するための手段】
【０００６】
前記した課題を解決するため、本発明の記録ディスクカートリッジは、フレキシブルな複数の記録ディスクメディアをカートリッジケース内に一体回転可能に収納した記録ディスクカートリッジであって、前記カートリッジケースは、前記記録ディスクメディアに平行な下壁を構成する下プレートと、前記下プレートの上に積層され固定されて前記複数の記録ディスクメディアを仕切る少なくとも１枚のインナシートと、前記インナシートの上に積層され固定されて前記カートリッジケースの上壁を構成する上プレートとを備えて構成される。
【０００７】
このような構成により、本発明の記録ディスクカートリッジは、下プレート、インナシート、上プレートを積み上げていく形でカートリッジケースが構成される。そのため、インナシートと記録ディスクメディアの組を一つの単位とでき、インナシートもすべて同じ部品とすることができて生産性に優れる。そして、組立工程における記録ディスクメディアの持ち運びも下プレートやインナシートをトレー代わりにして行うことができるのでメディアを損傷・汚損することなく、組立性にも優れる。また、記録ディスクメディアの枚数を変更した仕様としたい場合には、主としてインナシートの枚数を変えれば済むので仕様の変更が容易である。
【０００８】
しかも、インナシートを用いて記録ディスクメディアを仕切っている分、例えば、プレート状の仕切板を用いたものに比べて厚みを薄くすることができる。したがって、記録ディスクメディアが複数枚積層される仕様であっても、カートリッジケースの厚みが抑えられて小型化された記録ディスクカートリッジが得られる。換言すれば、インナシートを用いて薄く形成された分、プレート状の仕切板を用いたものに比べて、カートリッジケース内に形成される記録ディスクメディアの収容部の数を多くすることができ、より多くの記録ディスクメディアが収容される仕様とすることができる。また、インナシートによる積層構造としたため、プレート状の仕切板を用いたものに比べて軽量化を図ることができる。
【０００９】
また、インナシートは、インナシート間の積層間隔を保持するスペース部材を介して積層される構成とすることにより、インナシート間に空間を確保することができ、記録ディスクメディアが複数枚積層される仕様であっても、各記録ディスクメディアの間隔や平行性などの精度を出しやすく、記録ディスクメディアの、特に２０００〜８０００ｒｐｍのような高速での回転安定性を高めることができる。
【００１０】
前記した記録ディスクカートリッジにおいては、前記カートリッジケースに、前記記録ディスクメディアに対しデータの記録および／または再生を行うヘッドが進入する開口部を形成するとともに、この開口部を開閉するシャッタをさらに備えて構成することもできる。
【００１１】
さらに、前記インナシートの前記記録ディスクメディアに対向する面に、除塵用のライナを設けることで、記録ディスクメディアの表面を常に清浄に保つことができる。この除塵用のライナは、前記シャッタを構成する部材、前記下プレート、および前記上プレートのうち、前記記録ディスクメディアに対向する面にも設けるのが望ましい。
【００１２】
また、前記インナシートを除塵用のライナから構成することで、インナシート自体に除塵機能をもたせることができる。したがって、別途、除塵用のライナをインナシートに設ける必要がなくなり、その分、記録ディスクカートリッジの小型化（薄形化）に寄与することができる。
【００１３】
さらに、下ロータ、インナシートおよび上ロータの各ライナは、織布と不織布との組み合わせ、または、織布もしくは不織布から形成することができる。
【発明の効果】
【００１４】
本発明によれば、下プレート、インナシート、上プレートを積み上げていく形でカートリッジケースが構成されるので、部品の共通化により生産性の向上が可能となり、記録ディスクメディアをインナシートなどに載せて持ち運ぶことで、記録ディスクメディアを、損傷・汚損することなく、組立性にも優れる。
また、主としてインナシートの枚数を変更することで容易に記録ディスクメディアの枚数の変更を行うことができる。
さらに、インナシートを用いて記録ディスクメディアが仕切られているので、小型化に寄与する記録ディスクカートリッジが得られる。
【発明を実施するための最良の形態】
【００１５】
次に、本発明の実施形態について、適宜図面を参照しながら詳細に説明する。本実施形態においては、記録ディスクメディアの一例として磁気ディスクメディアを採用した場合について説明する。
図１は、一実施形態に係る磁気ディスクカートリッジの分解斜視図であり、図２は、一実施形態に係る磁気ディスクカートリッジの外観斜視図の（ａ）シャッタを閉じた状態、および（ｂ）シャッタを開けた状態を示し、図３は、上プレートの内面を示す斜視図であり、図４は、磁気ディスクドライブに装填した磁気ディスクカートリッジの図２（ｂ）におけるIV−IV断面図であり、図５は、図４の部分拡大図である。なお、以下の説明において、上下は、磁気ディスクカートリッジの典型的な使用状態を基準とし、便宜上磁気ディスクメディアの面に垂直な方向を上下と称する。また、説明において、同一の要素には同一の符号を用い、重複する説明は省略する。
【００１６】
図１に示すように、記録ディスクカートリッジの一例である磁気ディスクカートリッジ１は、下壁を構成する下プレート１０と、複数枚、例えば４枚のインナシート２０と、上壁を構成する上プレート３０とを順に積層し、これらを４つのネジ９１で締結して固定することでカートリッジケース２（図２（ａ）参照）が構成されている。そして、下プレート１０とインナシート２０の間、インナシート２０同士の間、およびインナシート２０と上プレート３０の間のそれぞれには磁気ディスクメディア４１が配置されている。そして、インナシート２０同士の間、およびインナシート２０と上プレート３０との間には、スペース部材２５が配置されている。磁気ディスクメディア４１は中央に開口部４１ａを有する円盤形状であり、開口部４１ａの縁に金属製のセンタコア４２が貼り付けられている。そして、センタコア４２同士がスペーサ４３，４３′により係合して５枚の磁気ディスクメディア４１（この積層・一体化された磁気ディスクメディア４１をディスクスタック４０とする）を一体に回転するようになっている。
【００１７】
各インナシート２０は、滑り性および耐摩耗性に優れた材料、例えば、ポリエチレン、ポリプロピレン、超高分子量ポリエチレン、ポリイミド等のシート材からなり、図１における右手前側には、磁気ヘッド６３（図４参照）が磁気ディスクメディア４１上に移動しやすいように、円弧部２３ａ、円弧部２３ｂおよび直線部２３ｃからなる切欠２３が形成されている。図２（ａ）に示すように、インナシート２０を積み重ねると、この切欠２３によって、カートリッジケース２の側面には開口部３が形成される。
ここで、インナシート２０の厚さは、０．０５ｍｍ以上２．００ｍｍ以下、好ましくは、０．１ｍｍ以上１．０ｍｍ以下とするのがよい。１ｍｍ以下の厚さを備えたインナシート２０を形成する場合には、射出成形によらずにシート状の部材を打ち抜く等の作業により作成することができる。この場合、インナシート２０の厚さの精度を出しやすいという利点が得られる。
【００１８】
この開口部３は、ディスクスタック４０と同軸に回動するシャッタ４により開閉される。シャッタ４は、図１に示すように下ロータ５１と上ロータ５２とを組み合わせることにより構成されている。
【００１９】
次に、各部材についてより詳細に説明する。
下プレート１０は、主として略正方形の主プレート１１の外周縁に、主プレート１１よりも一段高くされた周部１２と、側壁１３とが形成されて構成されている。周部１２は、上面が平らに形成され、インナシート２０の縁部２０ａが載置されるようになっている。側壁１３は、主プレート１１の１つの角（図１においては手前側の角）から所定の範囲、例えば一辺の３分の１程度の範囲に立設されており、およそインナシート２０とスペース部材２５とを積み重ねた高さで形成されている。
【００２０】
主プレート１１の側壁１３に連なる一方の一辺１１ａ（図１における右手前側の一辺）から主プレート１１の中心に向かう扇形の部分は、一段低くなった凹部１４ａを形成し、外周縁には周部１２が形成されずに開口１４となっている。これにより、磁気ヘッド６３がカートリッジケース２内に進入することを容易にしている。
主プレート１１の側壁１３に連なる他の一辺１１ｂ（図１における左手前側の一辺）の中央略３分の１の範囲は、後記する下ロータ５１のギヤ５１ｆが露出できるように周部１２が形成されずに開口１５となっている。また、当該他の一辺１１ｂ側の側壁１３の外側には、開口１５に連なって下プレート１０の外周に沿った溝１３ａが形成されている。溝１３ａは、磁気ディスクドライブのシャッタオープンギヤ６７（図２（ａ）参照）がギヤ５１ｆに係合すべく図２（ａ）の矢印Ａｒで示す方向へ進入して開口１５へ入り込む通路となっている。
【００２１】
前記した周部１２は、主プレート１１の外周縁のうち、側壁１３、開口１４，１５を除く全周にわたり、上方へ突出するように形成されている。
主プレート１１の中央には、最下層の磁気ディスクメディア４１に設けられるセンタコア４２を露出させるための円形の開口部１６が形成されている。開口部１６の上側の縁には、下ロータ５１の中央に形成された中央開口部５１ｃが外嵌するリブ１７が全周にわたって形成されている。このリブ１７は、下ロータ５１を回動自在に支持する。
また、主プレート１１の上面（内面）において、下ロータ５１の外周縁に対応する位置には、円形状の下ロータ支持溝１８が形成されている。この下ロータ支持溝１８は、下ロータ５１の外周縁において下方へ向けて形成されるリブ５１ｄ（図４参照）と係合することで、下ロータ５１を磁気ディスクメディア４１と同軸で回動自在に支持する。
また、主プレート１１の四つの角部には上下に貫通して、雌ネジが形成されたネジ孔１９が形成されている。
【００２２】
インナシート２０は、図１に示すように、下プレート１０の開口１４に対向する側に前記切欠２３が形成されることで略Ｌ字形に形成されている。インナシート２０の中央部には、上方のセンタコア４２を露出して、下方のセンタコア４２との連結を可能にするための円形の中央開口部２１ｃが形成されている。また、インナシート２０の３つの角部には、上下に貫通してネジ９１のネジ軸部９１ａが挿通される孔２９が形成されている。
【００２３】
スペース部材２５は、およそ下プレート１０の周部１２に対応した形状の略コ字形に形成され、インナシート２０間およびインナシート２０と上プレート３０との間に配置されて、インナシート２０の縁部２０ａを保持するようになっている。スペース部材２５は、インナシート２０を保持できるように上下面が平らに形成されており、また、所定の厚さを有していることでインナシート２０同士の間隔を所定の間隔に保持するようになっている。また、スペース部材２５の３つの角部には、上下に貫通してネジ９１のネジ軸部９１ａが挿通される孔２５ａが形成されている。ここで、スペース部材２５により保持される磁気ディスクメディア４１同士の間隔は、後記する磁気ディスクドライブの磁気ヘッド６３が各磁気ディスクメディア４１の上を移動できるように設定される。
【００２４】
上プレート３０は、下プレート１０とおよそ対称に形成されている。図３に示すように、上プレート３０は、およそ正方形の主プレート３１に、前記した凹部１４ａに対応する凹部３４と、リブ１７に対応するリブ３７と、下ロータ支持溝１８に対応する上ロータ支持溝３８が形成されている。なお、主プレート３１の中央に開口は形成されず、周部１２、側壁１３に対応するものも形成されていない。
また、主プレート３１の四つの角部には、ネジ９１のネジ軸部９１ａが貫通する孔３９が形成されている。
【００２５】
下ロータ５１は、およそ磁気ディスクメディア４１と同じリング状の下ロータプレート５１ａに中央開口部５１ｃ、切欠５１ｅ、リブ５１ｄ、およびギヤ５１ｆが形成され、下ロータプレート５１ａの外周縁にシャッタプレート５１ｂが立設されて構成されている。中央開口部５１ｃは、下プレート１０のリブ１７に外嵌する円形に形成され、切欠５１ｅは、凹部１４ａに対応する扇形に形成される。また、リブ５１ｄは、下プレート１０の下ロータ支持溝１８に対応して下ロータプレート５１ａの下面の外周縁近傍に下方に向けて設けられている。
シャッタプレート５１ｂは、開口部３（図２（ａ）参照）とディスクスタック４０とを遮断する遮蔽部材であり、切欠５１ｅに隣接して下ロータプレート５１ａの外周縁に沿って立設されている。ギヤ５１ｆは、シャッタ４（図２（ａ）参照）を、磁気ディスクカートリッジ１の外部から開閉操作するために係合される部分であり、下ロータプレート５１ａの外周に、シャッタプレート５１ｂに隣接して所定の範囲に形成されている。
【００２６】
上ロータ５２は、下ロータ５１とおよそ対称に構成されている。すなわち、下ロータプレート５１ａと同様な上ロータプレート５２ａからなり、上ロータプレート５２ａには、上プレート３０のリブ３７に外嵌する中央開口部５２ｃと、凹部３４に対応する切欠５２ｅと、上ロータ支持溝３８に対応するリブ５２ｄとが形成されている。また、上ロータプレート５２ａの外周縁の切欠５２ｅに隣接する部分には、下ロータ５１のシャッタプレート５１ｂに対応して、シャッタ溝５２ｂが形成された円弧状のプレート５２ｆが設けられている。そして、このシャッタ溝５２ｂと、シャッタプレート５１ｂの上端縁が係合することで、下ロータ５１と上ロータ５２は一体に回動するようになっている。
上ロータ５２は、中央開口部５２ｃが上プレート３０のリブ３７に外嵌するとともにリブ５２ｄが上ロータ支持溝３８に係合することで上プレート３０に回動自在に支持されている。なお、上ロータ５２は、係止部材５３により上プレート３０からの脱落が防止されている。係止部材５３は、リブ３７（図３参照）に内挿される筒部５３ａと、筒部５３ａの一端に形成されたフランジ５３ｂを有し、筒部５３ａが上ロータ５２の下側から中央開口部５２ｃに挿通され、リブ３７に超音波溶着または接着剤などにより固定されている。
【００２７】
図５に示す拡大断面図のように、下ロータ５１の上面、インナシート２０の上下の両面、および上ロータ５２の下面は、磁気ディスクメディア４１と対向する面であり、それぞれ磁気ディスクメディア４１に対向する部分にわたって磁気ディスクメディア４１の表面に付着した塵埃を除去する除塵用のライナ４９が貼り付けられている。
ライナ４９は、例えばポリエステル繊維やレーヨン／ポリエステル混紡繊維などの不織布などからなる。
各ライナ４９は、磁気ディスクメディア４１の形状に合わせて円形状を呈しており、下ロータ５１、インナシート２０、上ロータ５２の各切欠５１ｅ、２３、５２ｅに対応する切欠を有している。本実施の形態では、インナシート２０に貼り付けられるライナ４９がインナシート２０の形状に合わせて略半円形に形成されている。なお、下ロータ５１、インナシート２０および上ロータ５２の各ライナ４９は、織布と不織布との組み合わせ、または、織布から形成してもよい。なお、不織布等を数種類貼り合わせて構成してもよく、また、ある程度の厚みをもたせることで剛性を付与するようにしてもよい。
【００２８】
次に、下プレート１０と、インナシート２０と、上プレート３０との積層構造について説明する。
図１，図５に示すように、下プレート１０は、周部１２の上面が平らに形成されており、また、スペース部材２５は、上下面が平らに形成されているので、下プレート１０の周部１２とスペース部材２５の下面との間にインナシート２０の縁部２０ａを挟む形で積層することができ、同様に、スペース部材２５の上面とその上に積層されるスペース部材２５の下面との間にインナシート２０の縁部２０ａを挟む形で積層することができる。この場合、組み立てにあたっては、インナシート２０の縁部２０ａを前記した下プレート１０の周部１２やスペース部材２５の上面に対して置くようにして載せ、その上にスペース部材２５や上プレート３０をさらに置くようにして載せて行くことで、各部材を簡単に積層することができる。そして、ネジ９１（図１参照）により下プレート１０、インナシート２０（スペース部材２５）、および上プレート３０を締結することで、各部材同士が密着し、これにより、この部分を通じてカートリッジケース２内へ塵埃が侵入することが防止される。また、ネジ９１による締結により、インナシート２０は、各部材間に張った状態に保持される。
また、下プレート１０、インナシート２０、スペース部材２５、上プレート３０の積層と同時にカートリッジケース２の側壁が構成される。
【００２９】
このようなインナシート２０の積層によるカートリッジケース２の構成は、磁気ディスクメディア４１の枚数の変更を容易にする。側壁１３の高さ変更や、シャッタプレート５１ｂの高さ変更は要するが、主としてインナシート２０の枚数の変更およびこれに伴うスペース部材２５の数の変更を行うだけで、カートリッジケース２内に形成される磁気ディスクメディア４１の収容部の数を変更できるからである。
【００３０】
なお、図６に示すように、下プレート１０の周部１２に、内側が外側に対して一段高く形成された雄型段部１２ａを形成し、また、スペース部材２５の最外周下部に、この雄型段部１２ａに嵌合する雌型段部２２ａを形成するとともに、内周上部に雄型段部２２ｂを形成して、さらに、上プレート３０に最外周が一段下側に突出した雌型段部３２ａを形成して、これらがいわゆる印籠嵌合によりそれぞれ積層されるように構成してもよい。このような構成とすることにより、接合部分がいわゆる印籠嵌合しているため、外部からカートリッジケース２内への塵埃の侵入がより一層確実に防止される。なお、インナシート２０は、その縁部２０ａが、印籠嵌合部分で上下から段状に挟持されるようにしてもよいし、また、印籠嵌合部分の側方の平らな部分で上下から縁部２０ａが平面状に挟持されるようにしてもよい。
【００３１】
次に、磁気ディスクメディア４１およびその積層構造について説明する。
磁気ディスクメディア４１は、例えばポリエステルなどの樹脂シートに磁性塗料を両面に塗布したものである。
【００３２】
図７に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００３３】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００３４】
このようなスペーサ４３は、図５に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００３５】
なお、最上層のセンタコア４２は、上側に回転係止すべきセンタコアが無いため、その上には下側にのみピン４３ｂを突出させた、厚みの薄いトップスペーサ４３′が配置される。
また、図５に示すように、最下層のセンタコア４２は、他のセンタコア４２に比べて側壁４２ｂが高く形成されており、その分、スペーサ４３が分厚く形成されているとともに、ピン４３ｂが長く形成されている。これによって、最下層のセンタコア４２とその上側のセンタコア４２との相対回転が係止され、最下層のセンタコア４２の底板４２ａと、その上側のセンタコア４２の底板４２ａとの間には、磁気ディスクドライブのスピンドル６５が進入できる空間が形成されている。
【００３６】
以上のように積層された磁気ディスクメディア４１、つまりディスクスタック４０は、連結軸４４、ベアリングボール４５、圧縮コイルばね４６、およびセンタプレート４７により、安定した回転支持がなされている。
図５に示すように、連結軸４４は、積層されたセンタコア４２の相互間の中心の振れを少なくするとともに、ベアリングボール４５および圧縮コイルばね４６を保持するためのものであり、軸部４４ａ、ボール保持部４４ｂ、およびばね保持部４４ｃからなる。軸部４４ａは、センタコア４２のセンタホール４２ｄに挿通可能な円柱形状からなる。ボール保持部４４ｂは、軸部４４ａの上端に上側に開口した有底円筒状に形成されている。ボール保持部４４ｂの深さは、ベアリングボール４５の半径より大きく、そのためベアリングボール４５がボール保持部４４ｂに安定して保持される。ばね保持部４４ｃは、ボール保持部４４ｂの外径側に有底円筒を伏せた形状からなり、軸部４４ａとばね保持部４４ｃの間の円筒状の空間に圧縮コイルばね４６が配置される。なお、連結軸４４の長さは任意的であるが、本実施形態では、下から２層目のセンタコア４２まで届く長さであり、最下層のセンタコア４２のセンタホール４２ｄは、磁気ディスクドライブのスピンドル６５が進入できるように開いている。
【００３７】
センタプレート４７は、上プレート３０の内面の中心、つまり、リブ３７の内側の平面部分に貼り付けられた滑り部材である。センタプレート４７は、例えば、ポリオキシメチレン樹脂、超高分子量ポリエチレンなどの滑り性と耐摩耗性に優れた材料から構成することができる。
【００３８】
ベアリングボール４５は、例えばボールベアリングに使用される鋼製の球体からなるが、滑り性、耐摩耗性に優れた樹脂、例えばポリテトラフルオロエチレン、ポリオキシメチレン樹脂などにより構成しても良い。ベアリングボール４５は、連結軸４４のボール保持部４４ｂ内に配置されて、ボール保持部４４ｂの底面および上プレート３０の内面の中心、つまりセンタプレート４７と点接触により当接して、ディスクスタック４０を回転支持する。
【００３９】
圧縮コイルばね４６は、一端（上端）が連結軸４４のばね保持部４４ｃに保持され、他端（下端）が最上層のセンタコア４２の上面に当接して、積層されたセンタコア４２を下プレート１０側、つまり磁気ディスクドライブのスピンドル６５側へ付勢している。これにより、センタコア４２は、カートリッジケース２の中でがたつくことがなく、磁気ディスクメディア４１の回転時の振れが防止される。
【００４０】
磁気ディスクカートリッジ１に対し、データの記録、再生を行う磁気ディスクドライブは、図４に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、圧縮コイルばね４６の付勢力に抗してセンタコア４２を若干持ち上げるので、図４、図５に示すように、各磁気ディスクメディア４１は、下ロータ５１とインナシート２０、上下のインナシート２０同士、またはインナシート２０と上ロータ５２の各間に形成される空間の中央に位置する。
磁気ディスクドライブの磁気ヘッド６３は、スイングアーム６２の先端に設けられている。磁気ヘッド６３は、各磁気ディスクメディア４１の両面に配置されている。
【００４１】
以上のような磁気ディスクカートリッジ１は、図２（ａ）に示すように、不使用時は、シャッタ４を図中左回りに回動させて開口部３を閉塞しておくことで、内部への塵埃の侵入を防止することができる。そして、使用時には、図２（ｂ）に示すように磁気ディスクドライブに装填する際に、磁気ディスクドライブのシャッタオープンギヤ６７が、溝１３ａに嵌って案内されてギヤ５１ｆと噛合し、シャッタ４を図中右回りへ回動させる。
そして、スピンドル６５が回転することで、ディスクスタック４０が回転する。その後、アクチュエータ６１により駆動されることでスイングアーム６２が回動して、磁気ヘッド６３が磁気ディスクメディア４１の上に移動される。
【００４２】
磁気ヘッド６３で、磁気ディスクメディア４１にデータを記録する場合には、図示せぬ制御回路により磁気ヘッド６３へ信号を送ることで磁気ディスクメディア４１にデータが記録され、磁気ディスクメディア４１からデータを再生する場合には、磁気ディスクメディア４１上の磁界変化を磁気ヘッド６３で検知して、信号が出力される。
このとき、ライナ４９が適宜磁気ディスクメディア４１に触れることで磁気ディスクメディア４１上の塵埃が除去される。
磁気ディスクカートリッジ１の使用後は、磁気ヘッド６３がカートリッジケース２から退避した後、磁気ディスクカートリッジ１をイジェクトすることで、シャッタオープンギヤ６７によりギヤ５１ｆが駆動されてシャッタ４が開口部３を閉じる。
【００４３】
このように磁気ディスクカートリッジ１は、複数の磁気ディスクメディア４１を有することから、複数の磁気ヘッド６３で同時にデータにアクセスすることで、データ転送を高速で行うことができる。
また、インナシート２０とスペース部材２５とを積み上げていくことでカートリッジケース２が構成されるために、磁気ディスクメディア４１を異なる枚数にする仕様変更が容易である。そして、磁気ディスクカートリッジ１の組立時には、磁気ディスクメディア４１をインナシート２０や、下プレート１０に組み付けた下ロータ５１上に載せて取り扱うことができるため、磁気ディスクメディア４１に触れる機会を減らし、品質をより安定させることができる。
そして、インナシート２０は、下プレート１０もしくはインナシート２０の上にスペース部材２５を介して積層され、固定されていることから、磁気ディスクメディア４１との平行性を高くでき、磁気ディスクメディア４１の回転を安定させることができ、磁気ディスクメディア４１の高速回転、ひいてはデータ転送の高速化も可能となる。
【００４４】
しかも、インナシート２０を用いて磁気ディスクメディア４１を仕切っている分、例えば、プレート状の仕切板を用いて磁気ディスクメディア４１を仕切ったものに比べて厚みを薄くすることができる。したがって、磁気ディスクメディア４１が複数枚積層される仕様であっても、カートリッジケース２の厚みが抑えられて小型化された磁気ディスクカートリッジ１が得られる。換言すれば、インナシート２０を用いて薄く形成された分、プレート状の仕切板を用いたものに比べて、カートリッジケース２内に形成される磁気ディスクメディア４１の収容部（インナシート２０により仕切られる空間）の数を多くすることができ、より多くの磁気ディスクメディア４１が収容される仕様とすることができる。また、インナシート２０による積層構造としたため、プレート状の仕切板を用いたものに比べて軽量化を図ることができるとともに、積層構造が簡素化される。
【００４５】
また、以上の磁気ディスクカートリッジ１では、インナシート２０の両面にライナ４９を貼り付けた構成としたが、これに限られることはなく、例えば、インナシート２０自体をライナと同様の除塵効果を有する不織布で形成してもよい。このように構成することにより、インナシート２０自体に除塵機能をもたせることができので、別途、除塵用のライナ４９をインナシート２０に設ける必要がなくなり、その分、磁気ディスクカートリッジ１の小型化（薄形化）を図ることができる。
【００４６】
以上、本発明の実施形態について説明したが、本発明は前記した実施形態に限定されることなく適宜変形して実施することが可能である。
図８，図９に前記実施形態の第１変形例を示す。図８は実施形態の第１変形例に係る磁気ディスクカートリッジの外観斜視図の（ａ）シャッタを閉じた状態、および（ｂ）シャッタを開けた状態を示す。図９は同じく磁気ディスクカートリッジの分解斜視図である。
【００４７】
図８（ａ）（ｂ）に示すように、この第１変形例の磁気ディスクカートリッジ１Ａが前記実施形態の磁気ディスクカートリッジ１と異なるところは、スライド式のシャッタ５を用いた点であり、これに伴って、前記実施形態でシャッタ４（図１参照）を構成していた下ロータ５１、上ロータ５２、シャッタプレート５１ｂが磁気ディスクカートリッジ１Ａの構成部品から削除されている点である。つまり、図９に示すように、下プレート１０の上面にはライナ４９が直接貼り付けられて磁気ディスクメディア４１が配置されるようになっており、また、上プレート３０の下面にはライナ４９が直接貼り付けられて磁気ディスクメディア４１が配置されるようになっている。
【００４８】
シャッタ５は、図８（ｂ）に示すように、側面視でコ字形を呈しており、下プレート１０の底面に形成された段部１０ａ（図８（ａ）に一部図示）と上プレート３０の上面に形成された段部３０ａに沿って、図８（ｂ）中矢印Ｓで示す方向にスライド可能となっており、磁気ディスクドライブの磁気ヘッド６３が進入可能な開口部３を開くようになっている。すなわち、この磁気ディスクカートリッジ１Ａでは、シャッタ５が側方に大きくスライドする構成となっており、これにより、スイングアーム式の磁気ヘッド６３を備えた磁気ディスクドライブを利用して、データの記録または再生を行うことができる。
【００４９】
このような磁気ディスクカートリッジ１Ａによれば、前記実施形態で説明したシャッタ４を設ける必要がないので、その分（下ロータ５１および上ロータ５２の厚み分）、カートリッジケース２をより薄く形成することができ、より一層の小型化を図ることができる。
【００５０】
図１０，図１１に前記実施形態の第２変形例を示す。図１０は実施形態の第２変形例に係る磁気ディスクカートリッジの外観斜視図の（ａ）シャッタを閉じた状態、および（ｂ）シャッタを開けた状態を示す。図１１は同じく磁気ディスクカートリッジの分解斜視図である。
【００５１】
図１０（ａ）（ｂ）に示すように、この第２変形例の磁気ディスクカートリッジ１Ｂは、進退動式の磁気ヘッド６３に対応したものであり、そのための構成として、前記第１変形例の磁気ディスクカートリッジ１Ａよりも小さいシャッタ６が形成されている点が異なる。また、これに伴って、図１１に示すように、インナシート２０Ａの形状を略正方形状とするとともに、スペース部材２５Ａの形状を略ロ字形とした。また、下プレート１０の周部１２もこれに合わせて略ロ字形に形成した。
【００５２】
シャッタ６は、図１０（ａ）（ｂ）に示すように、側面視で略Ｌ字形を呈しており、下プレート１０の底面に形成された段部１０ａ（図１０（ａ）に一部図示）と上プレート３０の上面に形成された段部３０ａに沿って、図１０（ｂ）中矢印Ｓで示す方向にスライド可能となっており、磁気ディスクドライブの磁気ヘッド６３が直進して進入可能な開口部３を開くようになっている。
【００５３】
このような磁気ディスクカートリッジ１Ｂによれば、下プレート１０の周部１２(図１１参照)とスペース部材２５Ａの下面との間にインナシート２０Ａの縁部２０ａを挟む形で積層することができ、同様に、スペース部材２５Ａの上面とその上に積層されるスペース部材２５Ａの下面との間にインナシート２０Ａの縁部２０ａを挟む形で積層することができる。つまり、各インナシート２０Ａは、スペース部材２５Ａにより開口部３を除くほぼ全周が上下方向に挟持された状態で積層されることとなる。したがって、各インナシート２０Ａの取り付け強度が高まり、磁気ディスクメディア４１の間隔や平行性などの精度がより一層向上される。
【００５４】
なお、図１２（ａ）（ｂ）に示すように、前面に窓７ａを有するシャッタ７を用いて磁気ディスクカートリッジ１Ｂを構成してもよい。このようなシャッタ７を用いることにより、磁気ヘッド６３の記録または再生時における開口部３の開口面積を小さくすることができ、防塵性の向上された磁気ディスクカートリッジ１Ｂが得られる。
【００５５】
なお、前記実施形態においては、記録ディスクメディアとして磁気ディスクメディア４１を適用したが、光によりデータを記録する光ディスクメディアの場合にも同様に適用することができる。
また、実施形態においては、下プレート１０、インナシート２０（２０Ａ）、スペース部材２５（２５Ａ）、上プレート３０をネジ９１により締結固定したが、接着、溶着により一体に固定することも可能である。
さらに、前記実施形態において、インナシート２０（２０Ａ）に形成した切欠２３（２３ａ）は、必ずしも形成する必要はなく、開口部３にインナシート２０（２０Ａ）が臨む状態に形成してもよい。
【図面の簡単な説明】
【００５６】
【図１】一実施形態に係る磁気ディスクカートリッジの分解斜視図である。
【図２】一実施形態に係る磁気ディスクカートリッジの外観斜視図の（ａ）シャッタを閉じた状態、および（ｂ）シャッタを開けた状態を示す。
【図３】上プレートの内面を示す斜視図である。
【図４】磁気ディスクドライブに装填した磁気ディスクカートリッジの図２（ｂ）におけるIV−IV断面図である。
【図５】図４の部分拡大図である。
【図６】その他の積層構造を示した磁気ディスクカートリッジの断面図である。
【図７】磁気ディスクメディアの積層構造を示す分解斜視図である。
【図８】実施形態の第１変形例に係る磁気ディスクカートリッジの外観斜視図の（ａ）シャッタを閉じた状態、および（ｂ）シャッタを開けた状態を示す。
【図９】同じく磁気ディスクカートリッジの分解斜視図である。
【図１０】実施形態の第２変形例に係る磁気ディスクカートリッジの外観斜視図の（ａ）シャッタを閉じた状態、および（ｂ）シャッタを開けた状態を示す。
【図１１】同じく磁気ディスクカートリッジの分解斜視図である。
【図１２】その他の例を示す磁気ディスクカートリッジの外観斜視図の（ａ）シャッタを閉じた状態、および（ｂ）シャッタを開けた状態を示す。
【符号の説明】
【００５７】
１      磁気ディスクカートリッジ
２      カートリッジケース
３      開口部
４      シャッタ
１０    下プレート
２０    インナシート
２３    切欠
２５    スペース部材
３０    上プレート
３４    開口
４０    ディスクスタック
４１    磁気ディスクメディア
４２    センタコア
４３    スペーサ
４４    連結軸
４５    ベアリングボール
４７    センタプレート
４９    ライナ
５１    下ロータ
５２    上ロータ
６１    アクチュエータ
６２    スイングアーム
６３    磁気ヘッド
６５    スピンドル
【図１】
2006079786.tif 000003
【図２】
2006079786.tif 000004
【図３】
2006079786.tif 000005
【図４】
2006079786.tif 000006
【図５】
2006079786.tif 000007
【図６】
2006079786.tif 000008
【図７】
2006079786.tif 000009
【図８】
2006079786.tif 000010
【図９】
2006079786.tif 000011
【図１０】
2006079786.tif 000012
【図１１】
2006079786.tif 000013
【図１２】
2006079786.tif 000014